(57)【要約】【課題】同一放送局の情報がリストに重複表示される。【解決手段】放送受信機を、デジタルデータが多重化された所定のフォーマットの放送信号を受信する受信部と、受信部にて受信された放送信号から、放送局に対応するコードを復号する復号部と、復号部にて復号されたコードを放送信号の放送周波数と関連付けて放送情報として格納する格納部と、格納部に格納された放送情報を用いてリストを作成する作成部と、作成部によって作成されたリストを表示装置の表示画面に表示する表示制御部とを備える構成とする。作成部は、格納部に格納された放送情報について、コードが異なっていても放送周波数が同一であれば、同一放送局の放送情報であると判定し、同一放送局の放送情報であると判定された二以上の放送情報のうち、一つの放送情報をリストに登録し、他の放送情報をリストに登録しない。【選択図】図４
2018191031.tif 000002
【特許請求の範囲】
【請求項１】
デジタルデータが多重化された所定のフォーマットの放送信号を受信する受信部と、
前記受信部にて受信された放送信号から、放送局に対応するコードを復号する復号部と、
前記復号部にて復号されたコードを前記放送信号の放送周波数と関連付けて放送情報として格納する格納部と、
前記格納部に格納された放送情報を用いてリストを作成する作成部と、
前記作成部によって作成されたリストを表示装置の表示画面に表示する表示制御部と、
を備え、
前記作成部は、
前記格納部に格納された放送情報について、前記コードが異なっていても前記放送周波数が同一であれば、同一放送局の放送情報であると判定し、
前記同一放送局の放送情報であると判定された二以上の放送情報のうち、一つの放送情報を前記リストに登録し、他の放送情報を前記リストに登録しない、
放送受信機。
【請求項２】
前記作成部は、
所定のパラメータに基づく優先順位に従って前記一つの放送情報を前記リストに登録する、
請求項１に記載の放送受信機。
【請求項３】
前記放送情報をプリセットメモリに記憶させる記憶部
を更に備え、
前記パラメータは、
前記プリセットメモリに記憶されているか否かを示すパラメータであり、
前記作成部は、
前記プリセットメモリに記憶されている放送情報を前記リストに優先的に登録する、
請求項２に記載の放送受信機。
【請求項４】
前記パラメータは、
前記放送受信機による前記放送周波数の受信可能性を示すパラメータであり、
前記作成部は、
前記受信可能性が高い値の放送情報を前記リストに優先的に登録する、
請求項２又は請求項３に記載の放送受信機。
【請求項５】
前記復号部は、
前記受信部にて受信された放送信号から、前記放送局の名称を表示するための表示情報を復号し、
前記格納部は、
前記表示情報も前記放送周波数と関連付けて放送情報として格納し、
前記作成部は、
前記表示情報を含むリストを作成し、
前記表示制御部は、
前記放送局の名称を前記表示画面にリスト表示する、
請求項１から請求項４の何れか一項に記載の放送受信機。
【請求項６】
前記作成部は、
前記格納部に格納された放送情報について、前記放送周波数が同一であっても、前記コードに含まれる国コードが異なる場合には、異なる放送局の放送情報であると判定し、
前記異なる放送局の放送情報であると判定された各放送情報を前記リストに登録する、
請求項１から請求項５の何れか一項に記載の放送受信機。
【請求項７】
前記放送信号は、
ＲＤＳ（Radio Data System）方式の信号フォーマットにより伝送される放送信号である、
請求項１から請求項６の何れか一項に記載の放送受信機。
【請求項８】
コンピュータによって実行されるリスト作成方法であって、
デジタルデータが多重化された所定のフォーマットの放送信号を受信する受信ステップと、
前記受信ステップにて受信された放送信号から、放送局に対応するコードを復号する復号ステップと、
前記復号ステップにて復号されたコードを前記放送信号の放送周波数と関連付けて放送情報として所定の記憶媒体に格納する格納ステップと、
前記記憶媒体に格納された放送情報を用いてリストを作成する作成ステップと、
前記作成ステップにて作成されたリストを表示装置の表示画面に表示する表示制御ステップと、
を含み、
前記作成ステップにて、
前記記憶媒体に格納された放送情報について、前記コードが異なっていても前記放送周波数が同一であれば、同一放送局の放送情報であると判定し、
前記同一放送局の放送情報であると判定された二以上の放送情報のうち、一つの放送情報を前記リストに登録し、他の放送情報を前記リストに登録しない、
リスト作成方法。
【請求項９】
前記作成ステップにて、
所定のパラメータに基づく優先順位に従って前記一つの放送情報を前記リストに登録する、
請求項８に記載のリスト作成方法。
【請求項１０】
前記放送情報をプリセットメモリに記憶させる記憶ステップ
を更に含み、
前記パラメータは、
前記プリセットメモリに記憶されているか否かを示すパラメータであり、
前記作成ステップにて、
前記プリセットメモリに記憶されている放送情報を前記リストに優先的に登録する、
請求項９に記載のリスト作成方法。
【請求項１１】
前記パラメータは、
前記コンピュータによる前記放送周波数の受信可能性を示すパラメータであり、
前記作成ステップにて、
前記受信可能性が高い値の放送情報を前記リストに優先的に登録する、
請求項９又は請求項１０に記載のリスト作成方法。
【請求項１２】
前記復号ステップにて、
前記受信ステップにて受信された放送信号から、前記放送局の名称を表示するための表示情報を復号し、
前記格納ステップにて、
前記表示情報も前記放送周波数と関連付けて放送情報として前記記憶媒体に格納し、
前記作成ステップにて、
前記表示情報を含むリストを作成し、
前記表示制御ステップにて、
前記放送局の名称を前記表示画面にリスト表示する、
請求項８から請求項１１の何れか一項に記載のリスト作成方法。
【請求項１３】
前記作成ステップにて、
前記格納部に格納された放送情報について、前記放送周波数が同一であっても、前記コードに含まれる国コードが異なる場合には、異なる放送局の放送情報であると判定し、
前記異なる放送局の放送情報であると判定された各放送情報を前記リストに登録する、
請求項８から請求項１２の何れか一項に記載のリスト作成方法。
【発明の詳細な説明】
【技術分野】
【０００１】
本発明は、放送受信機及びリスト作成方法に関する。
【背景技術】
【０００２】
放送番組に関連するデータをオーディオ放送信号に多重して伝送するラジオ放送が規格化され、実用化されている。その一つに、例えばヨーロッパ放送連合で規格化されたＲＤＳ（Radio Data System：IEC 62106 Edition 2.0, 2009-07）が知られている。ＲＤＳ方式では、アナログＦＭ放送信号にデジタルデータが多重されている。
【０００３】
ＲＤＳ方式の多重データ（以下、「ＲＤＳデータ」と記す。）には、ＰＩ（Programme Identification）コード、ＰＳ（Programme Service Name）等が含まれる。ＰＩコードは、放送局を識別するためのコードである。ＰＳは、最大８文字の文字列を表示するためのデータである。ＰＳによる表示情報は、典型的には、放送局の名称である。
【０００４】
例えば特許文献１に、ＲＤＳデータを受信する放送受信機の具体的構成が記載されている。特許文献１に記載の放送受信機は、ＲＤＳデータを受信すると、受信したＲＤＳデータから受信可能な放送局に関する周波数情報を抽出し、抽出された周波数情報に基づいて受信可能な放送局のリストを表示する。
【先行技術文献】
【特許文献】
【０００５】
【特許文献１】特開２０１６−１１１７００号公報
【発明の概要】
【発明が解決しようとする課題】
【０００６】
ＲＤＳでは、周波数が同一であっても、例えばある時間帯だけ系列局のサービスを放送するため、ＰＩコードが一時的に変更されて放送が行われることがある。これに関し、ＲＤＳ対応の放送受信機は、ＰＩコードを用いて放送局を識別する。そのため、放送受信機は、ＰＩコード変更前とＰＩコード変更後のＲＤＳデータを別の放送局のデータとして管理する。この結果、ＰＩコード変更前とＰＩコード変更後の２つの放送局（すなわち同一の放送局名）が重複してリストに表示される。この種の重複表示が増えるほど、ユーザが視聴したい放送局をリストの中から適切に指定することが難しくなってしまう。
【０００７】
本発明は上記の事情に鑑みてなされたものであり、その目的とするところは、リスト上における同一放送局の重複表示を軽減するのに好適な放送受信機及びリスト作成方法を提供することである。
【課題を解決するための手段】
【０００８】
本発明の一実施形態に係る放送受信機は、デジタルデータが多重化された所定のフォーマットの放送信号を受信する受信部と、受信部にて受信された放送信号から、放送局に対応するコードを復号する復号部と、復号部にて復号されたコードを放送信号の放送周波数と関連付けて放送情報として格納する格納部と、格納部に格納された放送情報を用いてリストを作成する作成部と、作成部によって作成されたリストを表示装置の表示画面に表示する表示制御部とを備える。作成部は、格納部に格納された放送情報について、コードが異なっていても放送周波数が同一であれば、同一放送局の放送情報であると判定し、同一放送局の放送情報であると判定された二以上の放送情報のうち、一つの放送情報をリストに登録し、他の放送情報をリストに登録しない。
【０００９】
また、本発明の一実施形態において、作成部は、所定のパラメータに基づく優先順位に従って一つの放送情報をリストに登録する構成としてもよい。
【００１０】
また、本発明の一実施形態に係る放送受信機は、放送情報をプリセットメモリに記憶させる記憶部を更に備える構成としてもよい。上記のパラメータは、例えばプリセットメモリに記憶されているか否かを示すパラメータである。この場合、作成部は、プリセットメモリに記憶されている放送情報をリストに優先的に登録する。
【００１１】
また、本発明の一実施形態において、上記のパラメータは、例えば放送受信機による放送周波数の受信可能性を示すパラメータである、この場合、作成部は、受信可能性が高い値の放送情報をリストに優先的に登録する。
【００１２】
また、本発明の一実施形態において、復号部は、受信部にて受信された放送信号から、放送局の名称を表示するための表示情報を復号する構成としてもよい。この場合、格納部は、表示情報も放送周波数と関連付けて放送情報として格納し、作成部は、表示情報を含むリストを作成し、表示制御部は、放送局の名称を表示画面にリスト表示してもよい。
【００１３】
また、本発明の一実施形態において、作成部は、格納部に格納された放送情報について、放送周波数が同一であっても、放送局に対応するコードに含まれる国コードが異なる場合には、異なる放送局の放送情報であると判定し、異なる放送局の放送情報であると判定された各放送情報をリストに登録する構成としてもよい。
【００１４】
また、本発明の一実施形態において、放送信号は、例えばＲＤＳ方式の信号フォーマットにより伝送される放送信号である。
【００１５】
また、本発明の一実施形態に係るリスト作成方法は、コンピュータによって実行される方法であり、デジタルデータが多重化された所定のフォーマットの放送信号を受信する受信ステップと、受信ステップにて受信された放送信号から、放送局に対応するコードを復号する復号ステップと、復号ステップにて復号されたコードを放送信号の放送周波数と関連付けて放送情報として所定の記憶媒体に格納する格納ステップと、記憶媒体に格納された放送情報を用いてリストを作成する作成ステップと、作成ステップにて作成されたリストを表示装置の表示画面に表示する表示制御ステップとを含む。コンピュータは、作成ステップにて、記憶媒体に格納された放送情報について、コードが異なっていても放送周波数が同一であれば、同一放送局の放送情報であると判定し、同一放送局の放送情報であると判定された二以上の放送情報のうち、一つの放送情報をリストに登録し、他の放送情報をリストに登録しない。
【発明の効果】
【００１６】
本発明の一実施形態によれば、リスト上における同一放送局の重複表示を軽減するのに好適な放送受信機及びリスト作成方法が提供される。
【図面の簡単な説明】
【００１７】
【図１】本発明の一実施形態に係る放送受信機の構成を示すブロック図である。
【図２】本発明の一実施形態に係るＲＤＳ局ＤＢ（図２（ａ））及び非ＲＤＳ局ＤＢ（図２（ｂ））を示す図である。
【図３】本発明の一実施形態において実行されるリスト作成処理のフローチャートである。
【図４】図３の処理ステップＳ１２のサブルーチンである。
【図５】図３の処理ステップＳ１１にて登録候補として検索されたレコードの一覧（図５（ａ））及び処理ステップＳ１２の実行の結果得られる作成途中のステーションリスト（図５（ｂ））を示す図である。
【図６】図３の処理ステップＳ１３にて登録候補として検索されたレコードの一覧（図６（ａ））及び処理ステップＳ１４の実行の結果得られる作成途中のステーションリスト（図６（ｂ））を示す図である。
【図７】図３の処理ステップＳ１５にて登録候補として検索されたレコードの一覧（図７（ａ））及び処理ステップＳ１６の実行の結果得られる作成途中のステーションリスト（図７（ｂ））を示す図である。
【図８】図３の処理ステップＳ１７にて登録候補として検索されたレコードの一覧（図８（ａ））及び処理ステップＳ１８の実行の結果得られる完成版のステーションリスト（図８（ｂ））を示す図である。
【発明を実施するための形態】
【００１８】
以下、本発明の実施形態について図面を参照しながら説明する。なお、以下においては、本発明の一実施形態として、ＲＤＳデータの受信に適した放送受信機を例に取り説明するが、別の多重放送方式の受信に適した放送受信機も本発明の範疇である。
【００１９】
図１は、本発明の一実施形態に係る放送受信機１（コンピュータ）の構成を示すブロック図である。本実施形態に係る放送受信機１は、例えば道路を走行する車両に搭載された車載器であり、図１に示されるように、アンテナ１０２、チューナ１０４、ラジオ信号処理回路１０６、オーディオ信号処理回路１０８、パワーアンプ１１０、スピーカ１１２、ＲＤＳ復調器１１４、ＰＬＬ（Phase Locked Loop）回路１１６、マイクロコンピュータ１１８、入力インタフェース１２０及びディスプレイ１２２を備えている。
【００２０】
なお、図１では、本実施形態の説明に必要な主たる構成要素を図示しており、放送受信機として一般的な構成要素である筐体など、一部の構成要素については、その図示を適宜省略している。
【００２１】
放送受信機１は車載器に限らない。放送受信機１は、例えば、スマートフォン、フィーチャフォン、ＰＨＳ（Personal Handy phone System）、タブレット端末、ノートＰＣ、ＰＤＡ（Personal Digital Assistant）、ＰＮＤ（Portable Navigation Device）、携帯ゲーム機等の携帯型端末であってもよい。
【００２２】
放送受信機１は、放送電波をアンテナ１０２で受信してチューナ１０４に出力する。チューナ１０４は、マイクロコンピュータ１１８によるＰＬＬ回路１１６を介した制御により、受信電波から選択局のＲＦ（Radio Frequency）信号を抽出する。抽出されたＲＦ信号は、フィルタリング等の信号処理に適した中間周波数に周波数変換される。チューナ１０４は、周波数変換によって得たＩＦ（Intermediate Frequency）信号をラジオ信号処理回路１０６に出力する。
【００２３】
このように、アンテナ１０２、チューナ１０４、ＰＬＬ回路１１６及びマイクロコンピュータ１１８は、放送電波（放送信号）を受信する受信部として動作する。
【００２４】
選択局は、例えば入力インタフェース１２０に対するユーザ操作により指定される。選択局の指定情報は、マイクロコンピュータ１１８の内蔵メモリに記憶される。マイクロコンピュータ１１８は、例えば放送受信機１の電源投入直後、内蔵メモリの記憶情報に従ってＰＬＬ回路１１６を介したチューナ１０４の選局動作を制御する。
【００２５】
なお、入力インタフェース１２０には、ハードウェア又はソフトウェア若しくはこれらを組み合わせた種々のＵＩ（User Interface）が想定される。本実施形態では、入力インタフェース１２０には、放送受信機１本体のフロントパネルに実装されたメカニカルスイッチキー、メンブレンキー、タッチパネル環境下で提供されるＧＵＩ（Graphical User Interface）、操作キーが実装されたリモートコントローラ等が含まれる。
【００２６】
ラジオ信号処理回路１０６は、ＡＤ変換回路、ＩＦ検波（IF-Detection）回路、ノイズキャンセラ（Noise Canceller）、弱電界処理（Multiplex）回路を有している。ラジオ信号処理回路１０６に入力されたＩＦ信号は、ＡＤ変換回路にてＡＤ変換されて、ＩＦ検波回路でオーディオ信号に検波後、ノイズキャンセラによってノイズが除去される。オーディオ信号は、弱電界処理回路により、ミュート、ハイカット、セパレーション制御等の選択局の受信状態に応じた処理が施されてオーディオ信号処理回路１０８に出力される。
【００２７】
オーディオ信号処理回路１０８に入力されたオーディオ信号は、ＤＡ変換等の所定のオーディオ信号処理後、パワーアンプ１１０によるボリュームに応じた利得調整を経て、スピーカ１１２から音声として出力再生される。
【００２８】
ラジオ信号処理回路１０６には、例えばＳメータが内蔵されている。Ｓメータは、アナログオーディオ信号復調時の検波電圧の値を所定のサンプリング周期で測定してマイクロコンピュータ１１８に出力する。上記検波電圧値は、受信電波に比例した直流電圧（受信した放送電波の電界強度）である。
【００２９】
ラジオ信号処理回路１０６で検波された信号は、ＲＤＳ復調器１１４にも出力される。検波信号は、ＲＤＳ復調器１１４による復調処理後、マイクロコンピュータ１１８内のＲＤＳ復号器１１８２（復号部）でＲＤＳデータに復号される。
【００３０】
マイクロコンピュータ１１８は、データ用メモリ１１８ａを有している。マイクロコンピュータ１１８は、デコードによって得たＲＤＳデータをデータ用メモリ１１８ａに格納する。ＲＤＳデータには、ＰＳ（放送局の名称）、ＲＴ（Radio Text）、ＡＦ（Alternative Frequencies）リスト、ＰＩコード、ＰＴＹ（Programme Type）、ＴＰ（Traffic Programme）等が含まれる。
【００３１】
マイクロコンピュータ１１８は、ＤＢ（Database）用メモリ１１８ｂを有している。ＤＢ用メモリ１１８ｂには、ＲＤＳ局ＤＢ及び非ＲＤＳ局ＤＢが格納されている。図２（ａ）、図２（ｂ）のそれぞれに、ＲＤＳ局ＤＢ、非ＲＤＳ局ＤＢの一例を示す。
【００３２】
マイクロコンピュータ１１８は、入力インタフェース１２０に対するユーザの操作に従い又は定期的（例えば５分間隔）にシーク処理を実行する。シーク処理では、各周波数チャンネルが順次選択され、ＲＤＳ局ＤＢ、非ＲＤＳ局ＤＢの各ＤＢに必要な情報（以下、「放送情報」と記す。）の取得が試行される。
【００３３】
ＲＤＳ局ＤＢは、ＲＤＳデータを放送するＲＤＳ局に関するデータベースである。図２（ａ）に示されるように、ＲＤＳ局ＤＢは、一部のＲＤＳデータ（ＰＩコード及びＰＳ）、最新順、有局カウンタ、登録有無及びＲＤＳデータを放送する放送周波数（単位：ＭＨｚ）の各種情報を関連付けたレコード（ＲＤＳ局の放送情報のレコード）を持つ。なお、図２においては、説明の便宜上、各レコードにレコード番号を付す。
【００３４】
「最新順」は、当該放送周波数がシーク処理で最後にシークされた時刻の順に従って決定される値である。新しくシークされた（シークされた時刻が現在時刻に近い）放送周波数ほど若い番号の値（例えば１）が割り当てられる。若い番号の値を持つ放送周波数ほど受信可能性が高いことを意味する。すなわち、「最新順」は、放送周波数の受信可能性を示すパラメータである。
【００３５】
「有局カウンタ」は、シーク処理で検出されたときに１インクリメントされ、シーク処理で検出されなかったときに１デクリメントされる値である。有局カウンタの最大値は例えば３であり、最小値は例えばゼロである。カウント値の大きい放送周波数ほど受信可能性が高いことを意味する。一例として、有局カウンタが３となる放送周波数は、直近で実行された３回のシーク処理の何れにおいても検出されている。すなわち、有局カウンタも、放送周波数の受信可能性を示すパラメータである。
【００３６】
マイクロコンピュータ１１８は、プリセットメモリ１１８ｃを有している。マイクロコンピュータ１１８は、入力インタフェース１２０に対するユーザの操作によって指定された放送局（具体的には、ＲＤＳ局及び後述の非ＲＤＳ局の放送情報）をプリセットメモリ１１８ｃに登録することができる。なお、プリセットメモリ１１８ｃへの放送情報の登録とは、放送情報をプリセットメモリ１１８ｃに書き込む（記憶させる）ことを意味する。
【００３７】
このように、マイクロコンピュータ１１８は、放送情報をプリセットメモリ１１８ｃに記憶させる記憶部として動作する。
【００３８】
「登録有無」は、当該放送情報がプリセットメモリ１１８ｃに登録されているか否かを示すパラメータである。図２中、登録有無のフィールドが○となっている放送情報は、プリセットメモリ１１８ｃに登録されている。登録有無のフィールドが空欄となっている放送情報は、プリセットメモリ１１８ｃに登録されていない。
【００３９】
非ＲＤＳ局ＤＢは、ＲＤＳデータを放送しないＦＭ局に関するデータベースである。この種のＦＭ局には、一般に、デジタルデータが多重化されていない。そのため、非ＲＤＳ局ＤＢは、図２（ｂ）に示されるように、有局カウンタ、登録有無及びＦＭ局の放送周波数だけを関連付けたレコード（非ＲＤＳ局の放送情報のレコード）を持つ。
【００４０】
このように、ＤＢ用メモリ１１８ｂは、放送情報を格納する格納部として動作する。
【００４１】
マイクロコンピュータ１１８は、ＲＤＳ局ＤＢ及び非ＲＤＳ局ＤＢを用いてステーションリスト（Station List）を作成する。マイクロコンピュータ１１８は、作成したステーションリストをリスト用メモリ１１８ｄに格納する。
【００４２】
ステーションリストは、各放送局について、ＰＩコード、ＰＳ及び放送周波数の各種情報を関連付けてリスト化したデータである。マイクロコンピュータ１１８は、ステーションリスト（より詳細には、表示情報であるＰＳ）をディスプレイ１２２の表示画面に表示させる。
【００４３】
このように、マイクロコンピュータ１１８は、ＲＤＳ局ＤＢ及び非ＲＤＳ局ＤＢを用いてステーションリストを作成する作成部として動作する。また、マイクロコンピュータ１１８は、ステーションリスト内のＰＳをディスプレイ１２２の表示画面に表示させる表示制御部として動作する。
【００４４】
ユーザは、ディスプレイ１２２の表示画面上に表示されたステーションリストの中から所望のＰＳ（希望局）を選択することができる。ステーションリストから希望局が選択操作されると、マイクロコンピュータ１１８は、選択された希望局に関連付けられて記憶された放送周波数を選局し、選択された希望局の音声サービスをスピーカ１１２より出力再生させる。
【００４５】
ＲＤＳ局ＤＢを用いてステーションリストを単純に作成（すなわち有局カウンタがゼロ以外のものをリスト化）する場合を考える。図２（ａ）に示されるように、レコード番号２、３、８のレコードは、放送周波数が同一（１００.４ＭＨｚ）ではあるが、ＰＩコードが異なるため、別々のレコードとして登録されている。そのため、各レコードのＰＳを単純に用いると、ステーションリストには、これら３つのレコードのＰＳが重複して表示されてしまう。なお、レコードの登録とは、レコードを構成する放送情報をＤＢ用メモリ１１８ｂに書き込む（記憶させる）ことを意味する。
【００４６】
そこで、本実施形態に係る放送受信機１では、この種の重複表示を軽減すべく、次に説明されるリスト作成（更新）処理が実行される。
【００４７】
［リスト作成処理］
図３は、マイクロコンピュータ１１８によって実行されるリスト作成処理のフローチャートである。マイクロコンピュータ１１８は、入力インタフェース１２０に対するユーザの操作に従い又は定期的にリスト作成処理を実行する。なお、マイクロコンピュータ１１８は、リスト作成処理の実行開始に当たり、リスト用メモリ１１８ｄに格納されているステーションリストを削除又は別のメモリで一時的に（例えばリスト作成処理が完了するまでの期間だけ一時的なバックアップとして）保持する。
【００４８】
［図３のＳ１１（登録候補の検索）］
本処理ステップＳ１１では、ステーションリストへの登録候補がＲＤＳ局ＤＢ内の「最新順」の順序で検索される。本処理ステップＳ１１では、ＲＤＳ局ＤＢ内において登録有無のフィールドが○となっているレコード（すなわち、プリセットメモリ１１８ｃに登録されているＲＤＳ局）が登録候補として検索される。なお、ステーションリストへの登録とは、リストを構成する放送情報自体又はそのリンク（ＤＢ用メモリ１１８ｂのアドレス）をリスト用メモリ１１８ｄに書き込む（記憶させる）ことを意味する。
【００４９】
図５（ａ）に、本処理ステップＳ１１にて登録候補として検索されたレコードの一覧を示す。本実施形態では、図５（ａ）に示されるように、レコード番号１、３、８のレコードが登録候補として検索される。
【００５０】
［図３のＳ１２（リスト登録処理）］
本処理ステップＳ１２では、処理ステップＳ１１（登録候補の検索）にて登録候補として検索されたレコードを用いてステーションリストへの登録処理が実行される。図４に、リスト登録処理のサブルーチンを示す。
【００５１】
・図４の処理ステップＳ１２ａ
本処理ステップＳ１２ａでは、処理ステップＳ１１（登録候補の検索）にて登録候補として検索された全てのレコードについて処理ステップＳ１２ｂ以降が実行されたか否かが判定される。処理ステップＳ１２ｂ以降が実行されていないレコードが残っていると判定された場合（Ｓ１２ａ：ＮＯ）、未処理のレコードの中から「最新順」の順序に従って対象レコードが選択され、選択された対象レコードについて処理ステップＳ１２ｂ以降が実行される。
【００５２】
本実施形態では、レコード番号３（最新順＝２）、レコード番号１（最新順＝６）、レコード番号８（最新順＝７）の順に、処理ステップＳ１２ｂ以降が実行される。これら３つのレコードについて処理ステップＳ１２ｂ以降の実行が完了すると（Ｓ１２ａ：ＹＥＳ）、本サブルーチンが終了して、図３の処理ステップＳ１３以降が実行される。
【００５３】
・図４の処理ステップＳ１２ｂ
本処理ステップＳ１２ｂでは、処理ステップＳ１２ａにて選択された対象レコードについて有局カウンタがゼロ以外（すなわち１〜３）であるか否か、端的に言うと、受信可能性が高いか否かが判定される。
【００５４】
対象レコードの有局カウンタがゼロと判定された場合（Ｓ１２ｂ：ＮＯ）、対象レコードの放送周波数を受信することは難しい。そのため、対象レコードの放送情報がステーションリストに登録されることなく、本フローチャートの処理ステップは、処理ステップＳ１２ａに戻る。対象レコードの有局カウンタが１〜３の何れかであると判定された場合（Ｓ１２ｂ：ＹＥＳ）、本フローチャートの処理ステップは、処理ステップＳ１２ｃに進む。
【００５５】
・図４の処理ステップＳ１２ｃ
本処理ステップＳ１２ｃでは、対象レコードの放送情報と同一放送局の放送情報がステーションリストに既に登録されているか否かが判定される。
【００５６】
本処理ステップＳ１２ｃにて対象レコードの放送情報と同一放送局の放送情報がステーションリストに既に登録されていると判定された場合（Ｓ１２ｃ：ＹＥＳ）、対象レコードの放送情報がステーションリストに登録されることなく、本フローチャートの処理ステップは、処理ステップＳ１２ａに戻る。対象レコードの放送情報と同一放送局の放送情報がステーションリストに登録されていないと判定された場合（Ｓ１２ｃ：ＮＯ）、本フローチャートの処理ステップは、処理ステップＳ１２ｄに進む。
【００５７】
・図４の処理ステップＳ１２ｄ
本処理ステップＳ１２ｄでは、処理ステップＳ１２ｃにて未登録と判定された対象レコードの放送情報（ＰＩコード、ＰＳ、放送周波数）がステーションリストに登録される。対象レコードの放送情報がステーションリストに登録されると、本フローチャートの処理ステップは、処理ステップＳ１２ａに戻る。
【００５８】
図５（ｂ）に、本処理ステップＳ１２の実行の結果得られる作成途中のステーションリストを例示する。
【００５９】
レコード番号３のレコードは、有局カウンタが３である（Ｓ１２ｂ：ＹＥＳ）。また、レコード番号３について処理ステップＳ１２（リスト登録処理）を実行する時点では、ステーションリストには放送情報が一つも登録されていない（Ｓ１２ｃ：ＮＯ）。そのため、レコード番号３の放送情報は、ステーションリストに登録される（図５（ｂ）のリスト番号０参照）。
【００６０】
レコード番号１のレコードは、有局カウンタが２である（Ｓ１２ｂ：ＹＥＳ）。また、レコード番号１について処理ステップＳ１２（リスト登録処理）を実行する時点では、放送周波数が１０３．８ＭＨｚの放送情報が登録されていない（Ｓ１２ｃ：ＮＯ）。そのため、レコード番号１の放送情報は、ステーションリストに登録される（図５（ｂ）のリスト番号１参照）。
【００６１】
レコード番号８のレコードは、有局カウンタが２である（Ｓ１２ｂ：ＹＥＳ）。一方、レコード番号８について処理ステップＳ１２（リスト登録処理）を実行する時点では、放送周波数が１００．４ＭＨｚの放送情報（リスト番号０の放送情報）が既に登録されている。
【００６２】
具体的には、レコード番号８のＰＩコードが「Ｃ８Ａ１」であるのに対し、リスト番号０（レコード番号３）のＰＩコードは「Ｃ２Ａ１」である。両者は、ＰＩコードが異なっているため、ＲＤＳ局ＤＢでは別々のレコードとして登録されている。しかし、両者は、放送周波数が同一であるため、実際には同一放送局の放送情報である。
【００６３】
そこで、本実施形態では、ＰＩコードが異なっていても放送周波数が同一であれば、同一放送局の放送情報であると見做される。従って、レコード番号８については、同一放送局の放送情報（リスト番号０の放送情報）がステーションリストに既に登録されていると判定され（Ｓ１２ｃ：ＹＥＳ）、放送情報がステーションリストに登録されない（図５（ｂ）参照）。
【００６４】
附言するに、本実施形態では、レコード番号８の放送情報よりも受信可能性が高い値の放送情報（レコード番号１の放送情報）がステーションリストに優先的に登録される。
【００６５】
このように、マイクロコンピュータ１１８は、ＤＢ用メモリ１１８ｂに格納された放送情報について、ＰＩコードが異なっていても放送周波数が同一であれば、同一放送局の放送情報であると判定し、同一放送局の放送情報であると判定された二以上の放送情報のうち、一つの放送情報をステーションリストに登録し、他の放送情報をステーションリストに登録しない（他の放送情報をステーションリストの登録対象から除外する。）。
【００６６】
［図３のＳ１３（登録候補の検索）］
本処理ステップＳ１３では、ステーションリストへの登録候補が非ＲＤＳ局ＤＢ内の「最新順」の順序で検索される。本処理ステップＳ１３では、非ＲＤＳ局ＤＢ内において登録有無のフィールドが○となっているレコード（すなわち、プリセットメモリ１１８ｃに登録されている非ＲＤＳ局）が登録候補として検索される。
【００６７】
図６（ａ）に、本処理ステップＳ１３にて登録候補として検索されたレコードの一覧を示す。本実施形態では、図６（ａ）に示されるように、レコード番号１３のレコードが登録候補として検索される。
【００６８】
［図３のＳ１４（リスト登録処理）］
本処理ステップＳ１４では、処理ステップＳ１３（登録候補の検索）にて登録候補として検索されたレコードの放送情報がステーションリストに登録される。なお、有局カウンタがゼロである場合は、当該レコードをステーションリストに登録しない。
【００６９】
図６（ｂ）に、本処理ステップＳ１４の実行の結果得られる作成途中のステーションリストを例示する。レコード番号１３のレコードは、有局カウンタが３である。そのため、図６（ｂ）に示されるように、レコード番号１３の放送情報は、ステーションリストに登録される。
【００７０】
［図３のＳ１５（登録候補の検索）］
本処理ステップＳ１５では、ステーションリストへの登録候補がＲＤＳ局ＤＢ内の「最新順」の順序で検索される。本処理ステップＳ１５では、ＲＤＳ局ＤＢ内において登録有無のフィールドが空欄となっているレコード（すなわち、プリセットメモリ１１８ｃに登録されていないＲＤＳ局）が登録候補として検索される。
【００７１】
図７（ａ）に、本処理ステップＳ１５にて登録候補として検索されたレコードの一覧を示す。本実施形態では、図７（ａ）に示されるように、レコード番号０、２、４〜７、９、１０のレコードが登録候補として検索される。
【００７２】
［図３のＳ１６（リスト登録処理）］
本処理ステップＳ１６では、処理ステップＳ１５（登録候補の検索）にて登録候補として検索されたレコードを用いてステーションリストへの登録処理が実行される。なお、ここで実行される登録処理は、処理ステップＳ１２（リスト登録処理）と同じである。重複説明を避ける都合上、本処理ステップＳ１６の具体的説明は省略する。
【００７３】
図７（ｂ）に、本処理ステップＳ１６の実行の結果得られる作成途中のステーションリストを例示する。ここでは、図４のサブルーチンを援用して説明を行う。
【００７４】
レコード番号０のレコードは、有局カウンタが３である（Ｓ１２ｂ：ＹＥＳ）。また、レコード番号０について処理ステップＳ１６（リスト登録処理）を実行する時点では、放送周波数が１０４．５ＭＨｚの放送情報が登録されていない（Ｓ１２ｃ：ＮＯ）。そのため、レコード番号０の放送情報は、ステーションリストに登録される（図７（ｂ）のリスト番号３参照）。
【００７５】
レコード番号５のレコードは、有局カウンタが３である（Ｓ１２ｂ：ＹＥＳ）。一方、レコード番号５について処理ステップＳ１６（リスト登録処理）を実行する時点では、放送周波数が１０３．８ＭＨｚの放送情報（リスト番号１の放送情報）が既に登録されている。そのため、レコード番号５については、同一放送局の放送情報がステーションリストに既に登録されていると判定されて（Ｓ１２ｃ：ＹＥＳ）、放送情報がステーションリストに登録されない（図７（ｂ）参照）。
【００７６】
レコード番号５のレコードは、放送周波数が同じ１０３．８ＭＨｚであるリスト番号１（レコード番号１のレコード）よりも有局カウンタの値が大きい。しかし、本実施形態では、有局カウンタの値が大きい放送情報よりも、プリセットメモリ１１８ｃに登録されている放送情報を優先させている。そのため、リスト番号１（レコード番号１）の放送情報がステーションリストに登録され、レコード番号５の放送情報がステーションリストに登録されない。なお、別の実施形態では、有局カウンタの値が大きい放送情報がステーションリストに優先的に登録されてもよい。
【００７７】
レコード番号７のレコードは、有局カウンタが３である（Ｓ１２ｂ：ＹＥＳ）。また、レコード番号７について処理ステップＳ１６（リスト登録処理）を実行する時点では、放送周波数が９２．６ＭＨｚの放送情報が登録されていない（Ｓ１２ｃ：ＮＯ）。そのため、レコード番号７の放送情報は、ステーションリストに登録される（図７（ｂ）のリスト番号４参照）。
【００７８】
レコード番号１０のレコードは、有局カウンタが３である（Ｓ１２ｂ：ＹＥＳ）。また、レコード番号１０について処理ステップＳ１６（リスト登録処理）を実行する時点では、放送周波数が１０３．３ＭＨｚの放送情報が登録されていない（Ｓ１２ｃ：ＮＯ）。そのため、レコード番号１０の放送情報は、ステーションリストに登録される（図７（ｂ）のリスト番号５参照）。
【００７９】
レコード番号９のレコードは、有局カウンタが２である（Ｓ１２ｂ：ＹＥＳ）。また、レコード番号９について処理ステップＳ１６（リスト登録処理）を実行する時点では、放送周波数が１０６．２ＭＨｚの放送情報が登録されていない（Ｓ１２ｃ：ＮＯ）。そのため、レコード番号９の放送情報は、ステーションリストに登録される（図７（ｂ）のリスト番号６参照）。
【００８０】
レコード番号２のレコードは、有局カウンタが１である（Ｓ１２ｂ：ＹＥＳ）。一方、レコード番号２について処理ステップＳ１６（リスト登録処理）を実行する時点では、放送周波数が１００．４ＭＨｚの放送情報（リスト番号０の放送情報）が既に登録されている。そのため、レコード番号２については、同一放送局の放送情報がステーションリストに既に登録されていると判定されて（Ｓ１２ｃ：ＹＥＳ）、放送情報がステーションリストに登録されない（図７（ｂ）参照）。
【００８１】
レコード番号６のレコードは、有局カウンタが１である（Ｓ１２ｂ：ＹＥＳ）。一方、レコード番号６について処理ステップＳ１６（リスト登録処理）を実行する時点では、放送周波数が１０３．３ＭＨｚの放送情報（リスト番号５の放送情報）が既に登録されている。そのため、レコード番号６については、同一放送局の放送情報がステーションリストに既に登録されていると判定されて（Ｓ１２ｃ：ＹＥＳ）、放送情報がステーションリストに登録されない（図７（ｂ）参照）。
【００８２】
レコード番号４のレコードは、有局カウンタがゼロである（Ｓ１２ｂ：ＮＯ）。レコード番号４については、受信できる可能性が低いため、放送情報がステーションリストに登録されない（図７（ｂ）参照）。
【００８３】
［図３のＳ１７（登録候補の検索）］
本処理ステップＳ１７では、ステーションリストへの登録候補が非ＲＤＳ局ＤＢ内の「最新順」の順序で検索される。本処理ステップＳ１７では、非ＲＤＳ局ＤＢ内において登録有無のフィールドが空欄となっているレコード（すなわち、プリセットメモリ１１８ｃに登録されていない非ＲＤＳ局）が登録候補として検索される。
【００８４】
図８（ａ）に、本処理ステップＳ１７にて登録候補として検索されたレコードの一覧を示す。本実施形態では、図７（ａ）に示されるように、レコード番号１１、１２のレコードが登録候補として検索される。
【００８５】
［図３のＳ１８（リスト登録処理）］
本処理ステップＳ１８では、処理ステップＳ１７（登録候補の検索）にて登録候補として検索されたレコードの放送情報がステーションリストに登録される。本処理ステップＳ１８の実行が完了することにより、ステーションリストが完成する。
【００８６】
図８（ｂ）に、本処理ステップＳ１８の実行の結果得られるステーションリスト（完成版）を例示する。レコード番号１１、１２のレコードは、有局カウンタが何れも３である。そのため、図８（ｂ）に示されるように、レコード番号１１、１２の放送情報は、ステーションリストに登録される。これにより、ステーションリストが完成する。
【００８７】
図８（ｂ）に示されるように、ステーションリストには、放送周波数が同一の放送情報（すなわち同一放送局の放送情報）が登録されていない。そのため、同一放送局の重複表示が無くなる。これにより、ユーザは、視聴したい放送局をステーションリストの中から適切に指定し易くなる。
【００８８】
なお、ディスプレイ１２２の表示画面には、表示情報であるＰＳ（典型的には放送局名）が表示される。図８（ｂ）の例では、「ＢＢＣ  ３ＣＲ」が３つ存在し、「Ｈｅａｒｔ」が２つ存在する。ユーザが放送局を指定する際の利便性を向上させるため、例えば同一のＰＳに枝番（例えば「ＢＢＣ  ３ＣＲ−１」、「ＢＢＣ  ３ＣＲ−２」等）を付して表示してもよい。
【００８９】
ディスプレイ１２２の表示画面には、ＰＳに限らず、ＰＩコードや放送周波数が表示されてもよい。
【００９０】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【００９１】
ＰＩコードの一桁目は国コードである。上記の実施形態では、国コードが全て「Ｃ」（すなわち、同じ国）のＲＤＳ局のデータからステーションリストを作成するケースを例示した。ここで、放送受信機１を搭載する車両が国境付近を走行する場合を考える。この場合、シーク処理を実行することにより、国コードは異なるが、放送周波数が同一のＲＤＳ局のデータがシークされて、ＲＤＳ局ＤＢ内に蓄積されることがある。一例として、下記の情報を持つデータがＲＤＳ局ＤＢ内に蓄積される。
（１）ＰＩコード：Ｃ２Ａ１  ＰＳ：Ｃｌａｓｓｉｃ  周波数：１００．４ＭＨｚ
（２）ＰＩコード：Ｄ２Ａ１  ＰＳ：Ｈｅａｒｔ      周波数：１００．４ＭＨｚ
【００９２】
国コードが異なる場合、放送周波数が同一であっても、異なるサービスが放送されていることがある。この場合、図４の処理ステップＳ１２ｃでは、例外処理として、ＮＯ判定となってもよい。
【００９３】
すなわち、ステーションリストに登録されている放送情報の中に、対象レコードの放送情報と放送周波数が同一の放送情報が含まれていても、互いの国コードが異なる場合には、異なる放送局の放送情報であると見做される。従って、図４の処理ステップＳ１２ｃでは、対象レコードの放送情報と同一放送局の放送情報がステーションリストに登録されていないと判定される。これにより、例えば上記（１）及び（２）の両方がステーションリストに登録される。本例外処理の実行により、放送周波数が同一ではあるが、異なる放送局の放送情報を、ステーションリストに登録することが可能となる。
【符号の説明】
【００９４】
１  放送受信機
１０２  アンテナ
１０４  チューナ
１０６  ラジオ信号処理回路
１０８  オーディオ信号処理回路
１１０  パワーアンプ
１１２  スピーカ
１１４  ＲＤＳ復調器
１１６  ＰＬＬ回路
１１８  マイクロコンピュータ
１１８ａ  データ用ＲＡＭ
１１８ｂ  ＤＢ用ＲＡＭ
１１８ｃ  プリセットメモリ
１１８ｄ  リスト用メモリ
１２０  入力インタフェース
１２２  ディスプレイ
１１８２  ＲＤＳ復号器
【図１】
2018191031.tif 000003
【図２】
2018191031.tif 000004
【図３】
2018191031.tif 000005
【図４】
2018191031.tif 000006
【図５】
2018191031.tif 000007
【図６】
2018191031.tif 000008
【図７】
2018191031.tif 000009
【図８】
2018191031.tif 000010